(57)【要約】【課題】電気設備筐体内のスペース効率を向上できるとともに、締結部材の腐食及び漏水の虞を回避することができる電気設備筐体を提供する。【解決手段】本発明による電気設備筐体は、床面パネル２０と、床面パネル２０に接合された左側面パネル２１とを備え、床面パネル２０は、床面パネル本体２００と、床面パネル本体２００の縁部から床面パネル本体２００の延在面と交わる方向に延出された底左壁部２０１と、底左壁部２０１に設けられたボルト孔２０７とを有しており、左側面パネル２１は、左側面パネル本体２１０と、左側面パネル本体２１０の内面から突出された溶接スタッドボルト２１４とを有しており、底左壁部２０１のボルト孔２０７に通された溶接スタッドボルト２１４にナット２１６が螺着されることで、床面パネル２０と左側面パネル２１とが互いに接合されている。【選択図】図４
2020089193.tif 000002
【特許請求の範囲】
【請求項１】
箱形をなすように複数のパネルが接合された電気設備筐体であって、
第１パネルと、
前記第１パネルに接合された第２パネルと
を備え、
前記第１パネルは、第１パネル本体と、前記第１パネル本体の縁部から前記第１パネル本体の延在面と交わる方向に延出された第１壁部と、前記第１壁部に設けられたボルト孔とを有しており、
前記第２パネルは、第２パネル本体と、前記第２パネル本体の内面から突出された溶接スタッドボルトとを有しており、
前記第１壁部の前記ボルト孔に通された前記溶接スタッドボルトにナットが螺着されることで、前記第１パネルと前記第２パネルとが互いに接合されている、
電気設備筐体。
【請求項２】
前記第１パネルは、前記第１パネル本体の縁部から前記第１パネル本体の延在面と交わる方向に延出されるとともに前記第１壁部との間に空隙を形成する第２壁部をさらに有しており、
前記第２パネルは、前記第２パネル本体の縁部から前記第２パネル本体の延在面と交わる方向に延出された第３壁部をさらに有しており、
前記第１及び第２壁部間の前記空隙に前記第３壁部が通されるとともに、前記第１及び第２壁部により前記第３壁部の板厚方向に係る移動が規制されている、
請求項１記載の電気設備筐体。
【請求項３】
前記第１パネルは、床面パネルであり、
前記第２パネルは、側面パネルである、
請求項１又は請求項２に記載の電気設備筐体。
【請求項４】
前記第１壁部は、前記床面パネルの側縁部から延出されており、
前記第２壁部は、前記床面パネルの前縁部又は後縁部から延出されており、
前記第３壁部は、前記側面パネルの前縁部又は後縁部から延出されている、
請求項２を引用する請求項３記載の電気設備筐体。
【発明の詳細な説明】
【技術分野】
【０００１】
本発明は、箱形をなすように複数のパネルが接合された電気設備筐体に関する。
【背景技術】
【０００２】
従来用いられていたこの種の電気設備筐体としては、例えば下記の特許文献１等に示されている電気設備筐体を挙げることができる。すなわち、従来の電気設備筐体は、底面パネルと、この底面パネルに接合された側面パネルとを有している。底面パネルの周囲四辺は、上向きにＬ曲げ加工されている。底面パネルの左右側辺の折り曲げ部端面にはボルト通し穴が穿孔されている。側面パネルの底辺は、コ字形曲げ加工が施されている。側面パネルの底辺折り曲げ部の端面にはボルト通し穴が穿孔されている。底面パネルの側辺折り曲げ部（Ｌ曲げ加工）が側面パネルの底辺折り曲げ部（コ字形曲げ加工）の板面に重ね合わされた状態で、ボルト通し穴に通された固定ボルトにナットが螺合されることにより、底面パネル及び側面パネルが互いに接合されている。
【先行技術文献】
【特許文献】
【０００３】
【特許文献１】特開２０１１−６１９８０号公報
【発明の概要】
【発明が解決しようとする課題】
【０００４】
上記のような従来の電気設備筐体では、側面パネルの底辺折り曲げ部（コ字形曲げ加工）を形成しているので、電気設備筐体の底部において側面パネルから離れた位置で折り曲げ部が延在してしまう。電気設備筐体内に機器配置する際に折り曲げ部が邪魔になることがあり、電気設備筐体内のスペース効率が低くなっている。また、仮にコ字形の折り曲げ部を省略すると、パネル本体に孔を開ける必要が生じるとともに、電気設備筐体の外側に締結部材（ボルト又はナット）が現れてしまう。この場合、パネル本体の孔から漏水が生じる虞があるとともに、パネル本体の孔及びボルト頭等が腐食する虞がある。
【０００５】
本発明は、上記のような課題を解決するためになされたものであり、その目的は、電気設備筐体内のスペース効率を向上できるとともに、締結部材の腐食及び漏水の虞を回避することができる電気設備筐体を提供することである。
【課題を解決するための手段】
【０００６】
本発明に係る電気設備筐体は、箱形をなすように複数のパネルが接合された電気設備筐体であって、第１パネルと、第１パネルに接合された第２パネルとを備え、第１パネルは、第１パネル本体と、第１パネル本体の縁部から第１パネル本体の延在面と交わる方向に延出された第１壁部と、第１壁部に設けられたボルト孔とを有しており、第２パネルは、第２パネル本体と、第２パネル本体の内面から突出された溶接スタッドボルトとを有しており、第１壁部のボルト孔に通された溶接スタッドボルトにナットが螺着されることで、第１パネルと第２パネルとが互いに接合されている。
【発明の効果】
【０００７】
本発明の電気設備筐体によれば、第２パネル本体の内面から溶接スタッドボルトが突出されており、第１壁部のボルト孔に通された溶接スタッドボルトにナットが螺着されることで、第１パネルと第２パネルとが互いに接合されているので、電気設備筐体内のスペース効率を向上できるとともに、締結部材の腐食及び漏水の虞を回避することができる電気設備筐体を提供することである。
【図面の簡単な説明】
【０００８】
【図１】本発明の実施の形態による電気設備筐体を示す斜視図である。
【図２】図１の電気設備筐体を示す分解斜視図である。
【図３】図２の床面パネル、左側面パネル及び背面パネルを拡大して示す斜視図である。
【図４】図３の床面パネル、左側面パネル及び背面パネルの接合について説明する説明図である。
【図５】図１の電気設備筐体の上部前方の断面図である。
【図６】図１の電気設備筐体の上部後方の断面図である。
【図７】図１の電気設備筐体の上部左方の断面図である。
【図８】図１の電気設備筐体の上部右方の断面図である。
【発明を実施するための形態】
【０００９】
以下、本発明を実施するための形態について、図面を参照して説明する。本発明は各実施の形態に限定されるものではなく、その要旨を逸脱しない範囲で構成要素を変形して具体化できる。また、各実施形態に開示されている複数の構成要素の適宜な組み合わせにより、種々の発明を形成できる。例えば、実施の形態に示される全構成要素からいくつかの構成要素を削除してもよい。さらに、異なる実施形態の構成要素を適宜組み合わせてもよい。
【００１０】
図１は本発明の実施の形態による電気設備筐体を示す斜視図であり、図２は図１の電気設備筐体を示す分解斜視図である。本実施の形態の電気設備筐体は、受変電設備等の電気設備を内部に収納する筐体である。受変電設備には、配電盤、分電盤及び制御盤が含まれる。
【００１１】
図１及び図２に示すように、本実施の形態の電気設備筐体は、チャネルベース１、筐体本体２、複数の補強柱３及び屋根体４を有している。なお、図１では補強柱３の図示を省略している。
【００１２】
チャネルベース１は、電気設備筐体の底部を構成するものであり、例えば土台上面又は床面等の電気設備筐体の設置面上に配置される。図２に特に表れているように、本実施の形態のチャネルベース１は、矩形をなすように複数の形鋼（溝形鋼）が接合されたものである。各形鋼のウェブ部分には、通気口として機能する複数の開口が設けられている。
【００１３】
筐体本体２は、チャネルベース１の上に載置された箱形の構造体である。本実施の形態の筐体本体２は、箱形をなすように床面パネル２０、左側面パネル２１、右側面パネル２２、背面パネル２３、扉パネル２４及び天井パネル２５（複数のパネル）が互いに接合されることにより構成されている。床面パネル２０、左側面パネル２１、右側面パネル２２、背面パネル２３、扉パネル２４及び天井パネル２５は、素材金属板に対して曲げ加工等の成形加工が施されることにより形成されている。素材金属板としては、例えば塗装鋼板及びめっき鋼板を用いることができる。めっき鋼板としては、Ｚｎ系めっき鋼板、Ａｌ系めっき鋼板及びＺｎ−Ａｌ−Ｍｇ合金めっき鋼板を用いることができる。鋼板には、普通鋼の板材及びステンレス鋼の板材が含まれる。
【００１４】
床面パネル２０は、筐体本体２の床面（底面）を構成している。本実施の形態の床面パネル２０は、筐体本体２の奥行方向２ｂに係る寸法が幅方向２ａに係る寸法がよりも長い長方形状の外形を有している。但し、床面パネル２０の外形は、任意であり、例えば正方形状等の他の形状であってもよい。
【００１５】
左側面パネル２１は筐体本体２の左側面を構成し、右側面パネル２２は筐体本体２の右側面を構成している。すなわち、左側面パネル２１は、床面パネル２０の左縁部と接合されており、その床面パネル２０の左縁部から上方に向けて延在されている。同様に、右側面パネル２２は、床面パネル２０の右縁部と接合されており、その床面パネル２０の右縁部から上方に向けて延在されている。左側面パネル２１と右側面パネル２２とは互いに対向して配置されている。
【００１６】
本実施の形態の左側面パネル２１及び右側面パネル２２は、筐体本体２の奥行方向２ｂに係る寸法よりも筐体本体２の高さ方向２ｃに係る寸法が長い長方形状のパネルとされている。但し、左側面パネル２１及び右側面パネル２２の外形は、任意であり、例えば正四角形状であってもよい。
【００１７】
本実施の形態の電気設備筐体は、他の電気設備筐体と隣接して配置される用途に適合されている。具体的には、本実施の形態の電気設備筐体は、右隣に他の電気設備筐体が配置されるように適合されている。本実施の形態の右側面パネル２２は中央部に開口を有しており、この開口を通して電気設備筐体の内部空間と他の電気設備筐体の内部空間とを連通させることができる。両隣に他の電気設備筐体が配置される場合、左側面パネル２１及び右側面パネル２２の両方に開口を設けてよい。また、他の電気設備筐体との内部空間の連通が不要であれば、左側面パネル２１及び右側面パネル２２に開口が設けられていなくてもよい。
【００１８】
背面パネル２３は、筐体本体２の背面を構成している。本実施の形態の背面パネル２３は、床面パネル２０の後縁部に接合されており、その床面パネル２０の後縁部から上方に向けて延在されている。背面パネル２３の外形は、上述の左側面パネル２１及び右側面パネル２２と同様である。
【００１９】
扉パネル２４は、筐体本体２の正面において開閉可能に設けられたパネルである。本実施の形態の扉パネル２４は、左側面パネル２１の前縁部に軸支されている。扉パネル２４の外形は、上述の左側面パネル２１、右側面パネル２２及び背面パネル２３と同様である。
【００２０】
天井パネル２５は、筐体本体２の天井面を構成している。本実施の形態の天井パネル２５は、左側面パネル２１、右側面パネル２２及び背面パネル２３の上縁部に接合されている。
【００２１】
補強柱３は、筐体本体２を補強するために床面パネル２０と天井パネル２５との間に設けられた長手状部材である。本実施の形態の補強柱３は、床面パネル２０及び天井パネル２５の四隅に配置されるとともに、これら床面パネル２０及び天井パネル２５に接合されている。また、本実施の形態の補強柱３は、他のパネル（左側面パネル２１、右側面パネル２２、背面パネル２３及び扉パネル２４）に対しては非接合とされている。換言すると、補強柱３は、他のパネル間を接合していない。
【００２２】
屋根体４は、筐体本体２の天井パネル２５を覆い隠すように電気設備筐体の上部に設けられており、雨水等の水分が筐体本体２内に浸入することを防止するための構造体である。なお、電気設備筐体が屋内に設置される場合、屋根体４が省略されていてもよい。
【００２３】
図２に特に表れているように、屋根体４には、屋根パネル４０、第１及び第２屋根フレーム４１，４２及び第１及び第２屋根ジョイント４３，４４が設けられている。
【００２４】
屋根パネル４０は、天井パネル２５の上方に配置された部材である。屋根パネル４０の上面は、天井パネル２５の延在面に対して傾斜して延在されている。具体的には、屋根パネル４０の上面は、天井パネル２５が水平に延在されているときに後ろ下がりに傾斜するように設けられている。屋根パネル４０の上面に付着した雨水等の水分は、屋根パネル４０の傾斜により電気設備筐体の後方に流れ落ちる。
【００２５】
第１及び第２屋根フレーム４１，４２は、筐体本体２の奥行方向２ｂに延びる長手状の部材であり、筐体本体２の幅方向２ａに係る左右両側において天井パネル２５と屋根パネル４０との間に配置されている。第１及び第２屋根フレーム４１，４２の高さは、天井パネル２５に対する屋根パネル４０の傾斜を形成するように、電気設備筐体の前側から後側に向かうにつれて低くなっている。
【００２６】
第１及び第２屋根ジョイント４３，４４は、筐体本体２の奥行方向２ｂに延びる長手状の部材であり、筐体本体２の幅方向２ａに係る左右両側において屋根パネル４０の上部に配置されている。
【００２７】
次に、図３は、図２の床面パネル２０、左側面パネル２１及び背面パネル２３を拡大して示す斜視図である。図３に表れているように、床面パネル２０は、床面パネル本体２００、底左壁部２０１、底右壁部２０２、底後壁部２０３及び底前壁部２０４を有している。
【００２８】
床面パネル本体２００は、正四角形状の平板状部分である。
【００２９】
底左壁部２０１、底右壁部２０２、底後壁部２０３及び底前壁部２０４は、床面パネル２０の素材金属板の周縁部がＬ字曲げされることで形成されたものであり、床面パネル本体２００の前後左右の縁部（左縁部、右縁部、後縁部及び前縁部）から床面パネル本体２００の延在面と交わる方向に延出されている。具体的には、本実施の形態の底左壁部２０１、底右壁部２０２、底後壁部２０３及び底前壁部２０４は、床面パネル本体２００に対して直交して延在されている。
【００３０】
底左壁部２０１及び底右壁部２０２は、筐体本体２の奥行方向２ｂに延在されている。底後壁部２０３及び底前壁部２０４は、筐体本体２の幅方向２ａに延在されている。底左壁部２０１と底後壁部２０３及び底前壁部２０４との間には、底左空隙２０５が形成されている。同様に、底右壁部２０２と底後壁部２０３及び底前壁部２０４との間には、底右空隙２０６が形成されている。
【００３１】
底左壁部２０１、底右壁部２０２及び底後壁部２０３には、複数のボルト孔２０７が設けられている。ボルト孔２０７は、底左壁部２０１、底右壁部２０２又は底後壁部２０３の延在方向に互いに離間して配置されている。
【００３２】
左側面パネル２１は、左側面パネル本体２１０、左側面下壁部２１１、左側面後壁部２１２、左側面前壁部２１３及び複数の溶接スタッドボルト２１４を有している。
【００３３】
左側面パネル本体２１０は、長方形状の平板状部分である。
【００３４】
左側面下壁部２１１、左側面後壁部２１２及び左側面前壁部２１３は、左側面パネル２１の素材金属板の周縁部がＬ字曲げされることで形成されたものであり、左側面パネル本体２１０の前後下の縁部（下縁部、後縁部及び前縁部）から左側面パネル本体２１０の延在面と交わる方向に延出されている。具体的には、本実施の形態の左側面下壁部２１１、左側面後壁部２１２及び左側面前壁部２１３は、左側面パネル本体２１０に対して直交して延在されている。
【００３５】
筐体本体２の奥行方向２ｂに係る左側面後壁部２１２及び左側面前壁部２１３の外面間距離（左側面後壁部２１３の後端面と左側面前壁部２１３の前端面との間の距離）は、筐体本体２の奥行方向２ｂに係る底後壁部２０３及び底前壁部２０４の内面間距離（底後壁部２０３の前端面と底前壁部２０４の後端面との間の距離）よりも短くされている。
また、筐体本体２の奥行方向２ｂに係る左側面後壁部２１２及び左側面前壁部２１３の内面間距離（左側面後壁部２１２の前端面と左側面前壁部２１３の後端面との間の距離）は、筐体本体２の奥行方向２ｂに係る底左壁部２０１の延在幅（底左壁部２０１の前端面と後端面との間の距離）よりも大きくされている。
さらに、底左空隙２０５の幅は、左側面後壁部２１２及び左側面前壁部２１３の板厚以上とされている。底左空隙２０５の幅は、左側面後壁部２１２及び左側面前壁部２１３の板厚に近いほど好ましい。底左空隙２０５の幅は、左側面後壁部２１２及び左側面前壁部２１３の板厚の１３０％以下であることが好ましく、１２０％以下であることがより好ましく、１１０％以下であることがさらに好ましい。
【００３６】
左側面後壁部２１２には、筐体本体２の高さ方向２ｃに互いに離間して複数のボルト孔２１５が設けられている。
【００３７】
溶接スタッドボルト２１４は、筐体本体２の奥行方向２ｂに互いに離間して左側面パネル本体２１０の内面から突出されている。本実施の形態の溶接スタッドボルト２１４は、外周面にねじが切られたボルト軸によって構成されており、そのボルト軸の基端が左側面パネル本体２１０の内面に溶接されたものである。溶接スタッドボルト２１４は、通常のボルトと同様にボルト頭を有していてもよい。この場合、ボルト頭を左側面パネル本体２１０の内面に溶接することができる。
【００３８】
各溶接スタッドボルト２１４を底左壁部２０１のボルト孔２０７にそれぞれ通すことができるように、筐体本体２の奥行方向２ｂに係る溶接スタッドボルト２１４の間隔は筐体本体２の奥行方向２ｂに係るボルト孔２０７に合わされている。また、筐体本体２の高さ方向２ｃに係る溶接スタッドボルト２１４の位置は、左側面下壁部２１１の上面を床面パネル本体２００の下面に接触させたときに各溶接スタッドボルト２１４を底左壁部２０１のボルト孔２０７にそれぞれ通すことができる位置とされている。
【００３９】
背面パネル２３は、背面パネル本体２３０、背面下コ字曲げ部２３１、背面左コ字曲げ部２３２及び背面右コ字曲げ部２３３を有している。
【００４０】
背面パネル本体２３０は、長方形状の平板状部分である。
【００４１】
背面下コ字曲げ部２３１、背面左コ字曲げ部２３２及び背面右コ字曲げ部２３３は、背面パネル２３の素材金属板の周縁部がコ字曲げされることで形成されたものである。背面下コ字曲げ部２３１、背面左コ字曲げ部２３２及び背面右コ字曲げ部２３３は、背面パネル本体２３０の下縁部、左縁部及び右縁部から背面パネル本体２３０の延在面と交わる方向に延出された第１延出壁と、この第１延出壁の先端から第１延出壁の延在面と交わる方向に延出された第２延出壁を有している。第１延出壁が背面パネル本体２３０に対して直交され、第２延出壁が背面パネル本体２３０と並行に延在されることが好ましい。
【００４２】
背面下コ字曲げ部２３１、背面左コ字曲げ部２３２及び背面右コ字曲げ部２３３の第２延出壁には、複数のボルト孔２３４が設けられている。ボルト孔２３４は、第２延出壁の延在方向に互いに離間して配置されている。より具体的に説明すると、背面下コ字曲げ部２３１のボルト孔２３４は、背面パネル本体２３０の下縁を床面パネル本体２００の後縁と一致させた際に、底後壁部２０３のボルト孔２０７と向かい合う位置に配置されている。同様に、背面左コ字曲げ部２３２のボルト孔２３４は、背面パネル本体２３０の左縁を左側面パネル本体２１０の後縁と一致させた際に、左側面後壁部２１２のボルト孔２１５と向かい合う位置に配置されている。
【００４３】
次に、図４は図３の床面パネル２０、左側面パネル２１及び背面パネル２３の接合について説明する説明図である。床面パネル２０、左側面パネル２１及び背面パネル２３は、図４に示すように接合される。なお、床面パネル２０をチャネルベース１（図１及び図２参照）上に載置した後にその床面パネル２０に左側面パネル２１を接合し、その後に、床面パネル２０及び左側面パネル２１に背面パネル２３を接合することができる。
【００４４】
左側面パネル２１は、左側面下壁部２１１の上面を床面パネル本体２００の下面に接触させるとともに、左側面後壁部２１２を底左壁部２０１と底後壁部２０３との間の底左空隙２０５に通すように配置されている。このとき、底左壁部２０１及び底後壁部２０３により左側面後壁部２１２の板厚方向に係る移動が規制される。また、溶接スタッドボルト２１４が底左壁部２０１のボルト孔２０７に通される。底左壁部２０１の外面は左側面パネル本体２１０の内面に接触される。この状態で、溶接スタッドボルト２１４にナット２１６が螺着されることで、床面パネル２０と左側面パネル２１とが互いに接合される。なお、図示はしないが、左側面前壁部２１３は、底左壁部２０１と底前壁部２０４との間の底左空隙２０５に通され、底左壁部２０１及び底前壁部２０４により左側面前壁部２１３の板厚方向に係る移動が規制される。
【００４５】
背面パネル２３は、背面下コ字曲げ部２３１のボルト孔２３４が底後壁部２０３のボルト孔２０７と向かい合い、かつ背面左コ字曲げ部２３２のボルト孔２３４が左側面後壁部２１２のボルト孔２１５と向かい合うように配置される。これらボルト孔２０７，２１５，２３４に締結部材２３５が通されることで、床面パネル２０及び左側面パネル２１に背面パネル２３が接合される。
【００４６】
本実施の形態では、床面パネル２０及び左側面パネル２１と背面パネル２３との接合に用いる締結部材２３５としてワンサイドボルトが用いられている。ワンサイドボルトは、ボルト体と、ボルト体の外周に設けられたスリーブ体と、スリーブ体の基端に設けられたフランジ部とを有し、スリーブ体の先端をボルト孔２０７，２１５，２３４に挿入した後に、ボルト体を引き戻すことによりスリーブ体を塑性変形させることで変形部を形成し、この変形部とフランジ部とにより床面パネル２０、左側面パネル２１及び背面パネル２３の各壁部を挟持するように構成されている。但し、締結部材２３５として、例えばボルト・ナット又はリベット等の他の締結部材を用いてもよい。
【００４７】
なお、右側面パネル２２の基本的構成は、上述の左側面パネル２１の構成と同様である。すなわち、床面パネル２０及び背面パネル２３との右側面パネル２２の接合方法は、上述の左側面パネル２１の接合方法と同様である。右側面パネル２２は、床面パネル２０をチャネルベース１上に載置した後であって、床面パネル２０及び左側面パネル２１に背面パネル２３を接合する前に、床面パネル２０に接合することができる。
【００４８】
次に、図５は、図１の電気設備筐体の上部前方の断面図である。図５に示すように、天井パネル２５には、天井パネル本体２５０、天井下垂部２５１、前方延出部２５２、傘部２５３が設けられている。
【００４９】
天井パネル本体２５０は、筐体本体２の天井面を構成する矩形状の平板部分である。天井パネル本体２５０には、筐体本体２の内外を連通する通気口２５０ａが設けられている。
【００５０】
天井下垂部２５１は、天井パネル本体２５０の前端から下方に延在された板状部分である。天井下垂部２５１は、扉パネル２４の上方において筐体本体２の前面を構成している。天井下垂部２５１は、扉パネル２４の上方において筐体本体２の内外を隔てている。
【００５１】
前方延出部２５２は、天井パネル本体２５０の前端から延出された部分である。本実施の形態の前方延出部２５２は、天井パネル本体２５０の前端に接合されたＬ字板２５２ａと、Ｌ字板２５２ａの先端下部に接合された平板体２５２ｂとを有している。平板体２５２ｂには、通気口２５２ｃが設けられている。通気口２５２ｃは、天井下垂部２５１の前方、すなわち筐体本体２の外側に配置されている。
【００５２】
傘部２５３は、通気口２５２ｃに覆いかぶさるように天井パネル本体２５０の前方から延出された断面コ字状の板材である。傘部２５３には、通気口２５２ｃの上方に配置された傘本体２５３ａと、傘本体２５３ａの先端から下方に延出された傘下垂部２５３ｂとを有している。傘本体２５３ａは、後方に比べて前方において屋根パネル４０との間の隙間が狭くなるように屋根パネル４０の屋根パネル本体４００の延在面に対して傾斜して延在されている。傘下垂部２５３ｂは、前方延出部２５２の通気口２５２ｃよりも前方に配置されている。
【００５３】
屋根パネル４０には、屋根パネル本体４００、屋根前下垂部４０１、前舌片４０２及び前溝部４０３が設けられている。
【００５４】
屋根パネル本体４００は、電気設備筐体の上部に延在する矩形状の平板部分である。屋根パネル本体４００の前端は、前方延出部２５２の平板体２５２ｂの前端よりも前方に位置している。
【００５５】
屋根前下垂部４０１は、屋根パネル本体４００の前端から下方に向けて延出された平板状部分である。屋根前下垂部４０１の下端は、前方延出部２５２の平板体２５２ｂよりも下方に位置している。
【００５６】
前舌片４０２は、前溝部４０３を介して屋根前下垂部４０１の下端と一体に設けられた板状部分であり、前方延出部２５２の平板体２５２ｂの上面に重ねられている。
【００５７】
前溝部４０３は、屋根前下垂部４０１と前舌片４０２との間に設けられた断面凹状の部分である。前溝部４０３の底部４０３ａは、前方延出部２５２の平板体２５２ｂよりも下方に位置している。
【００５８】
電気設備筐体の上部前方において屋根体４の内部に浸入した雨水等の水分は、前溝部４０３内に集められる。また、例えば第１及び第２屋根フレーム４１，４２を伝う等して前溝部４０３よりも後方に浸入した水分は、前方延出部２５２の通気口２５２ｃから排出される。また、前溝部４０３よりも後方に浸入した水分が後方に向かうことが傘部２５３によって阻害される。一方、筐体本体２の内部で加熱された空気は、天井パネル本体２５０の通気口２５０ａ及び前方延出部２５２の通気口２５２ｃを通して筐体本体２の外部へと排出される。
【００５９】
次に、図６は、図１の電気設備筐体の上部後方の断面図である。図６に示すように、背面パネル２３には、水返部２３６が設けられている。水返部２３６は、背面上壁２３６ａと折返壁２３６ｂとが設けられている。背面上壁２３６ａは、天井パネル本体２５０の上面に重なるように背面パネル本体２３０の上端から前方に向けて延出されている。折返壁２３６ｂは、背面上壁２３６ａの先端から上方に向けて折り返された壁部である。水返部２３６は、電気設備筐体の上部後方において屋根体４の内部に浸入した雨水等の水分が天井パネル本体２５０の通気口２５２ｃ（図５参照）に向かうことを阻害する。
【００６０】
屋根パネル４０には、屋根後下垂部４０４、後舌片４０５及び後溝部４０６が設けられている。
【００６１】
屋根後下垂部４０４は、屋根パネル本体４００の後端から下方に向けて延出された平板状部分である。屋根パネル本体４００の後端及び屋根後下垂部４０４は、背面パネル本体２３０よりも後方に配置されている。屋根後下垂部４０４の下端は、背面パネル２３の背面上壁２３６ａよりも下方に位置している。
【００６２】
後舌片４０５は、後溝部４０６を介して屋根後下垂部４０４の下端と一体に設けられた板状部分であり、背面パネル２３の背面上壁２３６ａの上面に重ねられている。
【００６３】
後溝部４０６は、屋根後下垂部４０４と後舌片４０５との間に設けられた断面凹状の部分である。後溝部４０６の底部４０６ａは、背面パネル２３の背面上壁２３６ａよりも下方に位置している。電気設備筐体の上部後方において屋根体４の内部に浸入した雨水等の水分は、後溝部４０６内に集められる。
【００６４】
次に、図７は、図１の電気設備筐体の上部左方の断面図である。図７に示すように、左側面パネル２１には、左側面上壁部２１７が設けられている。左側面上壁部２１７は、左側面パネル本体２１０の上端から外方（左方）に向けて延出された壁部である。天井パネル２５は、左側面上壁部２１７に接合されている。第１屋根フレーム４１は、左側面上壁部２１７の上方に配置されている。
【００６５】
屋根パネル４０には、左コ字曲げ部４０７が設けられている。左コ字曲げ部４０７は、屋根パネル本体４００の素材金属板の左縁部がコ字曲げされることで形成されたものである。左コ字曲げ部４０７は、左側面パネル本体２１０よりも外方（左方）に配置されている。
【００６６】
第１屋根ジョイント４３は、屋根パネル４０の左コ字曲げ部４０７を上方から覆い隠すとともに、第１屋根フレーム４１及び左側面上壁部２１７を側方から覆い隠している。第１屋根ジョイント４３の下端は、左側面パネル本体２１０から離れた位置に配置されている。第１屋根ジョイント４３の側面を伝う水分は、左側面パネル本体２１０に伝わらずに電気設備筐体の側方に落ちる。
【００６７】
次に、図８は、図１の電気設備筐体の上部右方の断面図である。図８に示すように、右側面パネル２２には、右側面パネル本体２２０及び右側面上壁部２２１が設けられている。右側面上壁部２２１は、右側面パネル本体２２０の上端から内方（左方）に向けて延出された壁部である。天井パネル２５は、右側面上壁部２２１に接合されている。第２屋根フレーム４２は、右側面上壁部２２１の上方に配置されている。
【００６８】
屋根パネル４０には、右コ字曲げ部４０８が設けられている。右コ字曲げ部４０８は、屋根パネル本体４００の素材金属板の右縁部がコ字曲げされることで形成されたものである。右コ字曲げ部４０８は、右側面パネル本体２２０以内に配置されており、右側面パネル本体２２０から外方（右方）に突出されていない。
【００６９】
第２屋根ジョイント４４は、屋根パネル４０の右コ字曲げ部４０８を上方から覆い隠している。第２屋根ジョイント４４は、右側面パネル本体２２０及び右コ字曲げ部４０８よりも外方（右方）に突出されており、電気設備筐体の右側に配置される他の電気設備筐体の上部も覆うように構成されている。
【００７０】
このような電気設備筐体では、左側面パネル本体２１０（第２パネル）の内面から溶接スタッドボルト２１４が突出されており、底左壁部２０１（第１壁部）のボルト孔２０７に通された溶接スタッドボルト２１４にナット２１６が螺着されることで、床面パネル２０（第１パネル）と左側面パネル２１（第２パネル）とが互いに接合されているので、電気設備筐体内のスペース効率を向上できるとともに、締結部材の腐食及び漏水の虞を回避することができる電気設備筐体を提供することである。すなわち、底左壁部２０１の外面を左側面パネル本体２１０の内面に接触させた状態で床面パネル２０と左側面パネル２１とを互いに接合でき、電気設備筐体の底部において側面パネルから離れた位置で折り曲げ部が延在することを回避できる。また、左側面パネル本体２１０に開口を設けずに済むとともに、電気設備筐体の外部に溶接スタッドボルト２１４及びナット２１６が外部に現れることを回避することができる。
【００７１】
また、底左壁部２０１と底後壁部２０３との間（第１及び第２壁部間）の底左空隙２０５に左側面後壁部２１２（第３壁部）が通されるとともに、底左壁部２０１及び底後壁部２０３（第１及び第２壁部）により左側面後壁部２１２（第３壁部）の板厚方向に係る移動が規制されるので、床面パネル２０に対する左側面パネル２１の位置合わせをより簡単かつ確実に行うことができ、電気設備筐体の外形寸法精度を向上できる。
【００７２】
なお、実施の形態では、左側面パネル２１及び右側面パネル２２の内面に溶接スタッドボルトを設けるように説明したが、床面パネル、背面パネル及び天井パネル等の他のパネルに溶接スタッドボルトを設けてもよい。
【符号の説明】
【００７３】
２０    床面パネル（第１パネル）
２００  床面パネル本体（第１パネル本体）
２０１  底左壁部（第１壁部）
２０３  底後壁部（第２壁部）
２０５  底左空隙（空隙）
２０７  ボルト孔
２１    左側面パネル（第２パネル）
２１０  左側面パネル本体（第２パネル本体）
２１２  左側面後壁部（第３壁部）
２１４  溶接スタッドボルト
２１６  ナット
【図１】
2020089193.tif 000003
【図２】
2020089193.tif 000004
【図３】
2020089193.tif 000005
【図４】
2020089193.tif 000006
【図５】
2020089193.tif 000007
【図６】
2020089193.tif 000008
【図７】
2020089193.tif 000009
【図８】
2020089193.tif 000010
【手続補正書】
【提出日】令和2年3月3日(2020.3.3)
【手続補正１】
【補正対象書類名】特許請求の範囲
【補正対象項目名】全文
【補正方法】変更
【補正の内容】
【特許請求の範囲】
【請求項１】
箱形をなすように複数のパネルが接合された電気設備筐体であって、
第１パネルと、
前記第１パネルに接合された第２パネルと
を備え、
前記第１パネルは、第１パネル本体と、前記第１パネル本体の縁部から前記第１パネル本体の延在面と交わる方向に延出された第１壁部と、前記第１壁部に設けられたボルト孔とを有しており、
前記第２パネルは、第２パネル本体と、前記第２パネル本体の内面から突出された溶接スタッドボルトとを有しており、
前記第１壁部の前記ボルト孔に通された前記溶接スタッドボルトにナットが螺着されることで、前記第１パネルと前記第２パネルとが互いに接合されており、
前記第１パネルは、前記第１パネル本体の縁部から前記第１パネル本体の延在面と交わる方向に延出されるとともに前記第１壁部との間に空隙を形成する第２壁部をさらに有しており、
前記第２パネルは、前記第２パネル本体の縁部から前記第２パネル本体の延在面と交わる方向に延出された第３壁部をさらに有しており、
前記第１及び第２壁部間の前記空隙に前記第３壁部が通されるとともに、前記第１及び第２壁部により前記第３壁部の板厚方向に係る移動が規制されている、
電気設備筐体。
【請求項２】
前記第１パネルは、床面パネルであり、
前記第２パネルは、側面パネルである、
請求項１記載の電気設備筐体。
【請求項３】
前記第１壁部は、前記床面パネルの側縁部から延出されており、
前記第２壁部は、前記床面パネルの前縁部又は後縁部から延出されており、
前記第３壁部は、前記側面パネルの前縁部又は後縁部から延出されている、
請求項２記載の電気設備筐体。